(57)【要約】      （修正有）【課題】墜落防止具用として高強度なブレーキ装置を提供する。【解決手段】本体を備え、本体にブラケット１３を内設し、ブラケットに巻き取り装置２の巻き取り輪２１を設け、巻き取り輪に安全ベルト２２を繞設し、巻き取り輪一端の表面は順を追って軸柱２１３、第１引き止め柱２１４と第２引き止め柱２１５を間隔置きに設ける。さらに、巻き取り輪の一端に制動部３１を固設し、制動部の内縁に爪車を設け、制動部に中空状の揺動具３２を設け、第１引き止め柱と第２引き止め柱は揺動具に内設させる。安全ベルトを本体より引き出される瞬間の速度が所定値に達したとき、揺動具３２は爪車３１１に揺動され、揺動具によって爪車が係止され、安全ベルトを引き続き本体より引き出すことができない、使用者の墜落の停止が確保される。【選択図】図３
0003166530.tif 000002
【実用新案登録請求の範囲】
【請求項１】
本体、巻き取り装置、巻き取り装置とブレーキ装置を備えた墜落防止具のブレーキ装置において、
前記本体は上部ケースと下部ケースより組み合わせられ、ブラケットを前記上部ケースと前記下部ケースとの間に設けられ、
前記巻き取り装置に巻き取り輪を設けられ、前記巻き取り輪に巻き取り部を備え、前記巻き取り部の両端にそれぞれ軸部を設けられ、前記軸部は前記ブラケットに枢接され、前記巻き取り輪に安全ベルトを繞設され、前記巻き取り部一端の表面は軸部の周りに順を追って軸柱、第１引き止め柱と第２引き止め柱間隔置きに設けられ、
前記ブレーキ装置に中空状の制動部、揺動具と弾性素子を設けられ、前記制動部は前記ブラケットと前記軸部との間に固設され、前記制動部の内縁に爪車を設けられ、前記揺動具を制動部に内設され、かつ前記軸柱、前記第１引き止め柱と前記第２引き止め柱は前記揺動具の内部に位置され、前記揺動具の内縁は間隔置きに順を追って枢接部、第１阻止部と第２阻止部を設けられ、外側に係止部を凸設され、前記枢接部は凹み状を形成され、前記軸柱を枢接部に内設され、前記弾性素子の一端は前記巻き取り部が前記第２引き止め柱の付近場所に接続され、他端は前記揺動具内側の前記枢接部と前記第１阻止部との間に接続され、前記第１阻止部により第１引き止め柱を係止し、前記係止部と前記爪車との間に距離を形成させ、前記第２阻止部と前記第２引き止め柱との間に距離を形成することを特徴とする墜落防止具のブレーキ装置。
【請求項２】
前記巻き取り輪は前記軸柱遠端の他端の前記軸部に前記巻きばねを接続されていることを特徴とする請求項１記載の墜落防止具のブレーキ装置。
【考案の詳細な説明】
【技術分野】
【０００１】
本考案は一種の墜落防止具ブレーキ装置に関し、特に高所での活動または作業者あるいは物品が不注意による墜落を防止する墜落防止具に関する。
【背景技術】
【０００２】
不注意による墜落事故を防止するため、高所での活動または作業に従事する者が転がり落ちるまたは墜落を防止するため、すべては墜落防止具を使用されている。墜落防止具は主に巻き取り装置を利用し巻き軸より安全ベルトの解放または巻き取りを制御することにより、安全ベルトの伸縮目的を達成するほか、ブレーキ装置を利用し安全ベルトによって巻き軸を回転駆動され、巻き軸の瞬間速度が所定値に達したとき巻き軸の回転は制限される。しかし、公知のブレーキ装置は主に巻き取り軸が回転するときの遠心力を利用し揺動具を外側に揺動され、周りの爪車に掛け合って、ブレーキ効果を達成する。
【考案の概要】
【考案が解決しようとする課題】
【０００３】
しかし、この種の方式は以下の欠点を有する。
【０００４】
イ、  揺動具が爪車に進入したとき、巻き軸の回転による回転力量は揺動具と爪車に揺動した瞬間にすべて爪車に作用され、極めて大きい摩擦力を引き起すため、揺動具は爪車と完全に掛け合わないままに揺動が停止され、掛け合いが不確実となる。そして、回転力量が大きいとき、揺動具は爪車において摺動し始め、搭載された人員は引き続きに墜落される。
【０００５】
ロ、  揺動具と揺動具に枢接された軸は体積と構造設計の制限を受け、体積を大きくすることはできないため、構造強度が弱い。
【課題を解決するための手段】
【０００６】
本考案の主な目的は、墜落防止具はブレーキ装置を利用し確実な墜落防止効果を実現し、使用者の安全を確保する。
【０００７】
前記目的を達成するため、本考案は本体を備え、本体にブラケットを内設され、ブラケットに巻き取り装置の巻き取り輪を設けられ、巻き取り輪に安全ベルトを繞設され、巻き取り輪一端の表面は順を追って軸柱、第１引き止め柱と第２引き止め柱を間隔置きに設けられ、巻き取り輪の一端に制動部を固設され、制動部の内縁に爪車を設けられ、制動部に中空状の揺動具を設けられ、第１引き止め柱と第２引き止め柱は揺動具に内設され、安全ベルトを本体より引き出されるときの瞬間速度が所定値に達したとき、揺動具は爪車に揺動され、揺動具によって爪車を引き止められ、安全ベルトを引き続き本体より引き出すことができなく、使用者の墜落の停止が確保される。
【考案の効果】
【０００８】
本考案は公知技術の不足点と欠点を解決できるほか、墜落防止具の効果が追加される主な技術手段は以下の通りである。
【０００９】
イ、  揺動具３２の係止部３２４は揺動力量によって爪車３１１に進入したとき、巻き取り輪２１はなお旋転自在の状態にあるため、巻き取り輪２１の旋転力量は瞬間的揺動具３２と爪車３１１に作用されず、係止部３２４に緩衝状態が保持される。この緩衝状態の時間は第２引き止め柱２１５が第２阻止部３２３に移動するための必要時間であり、係止部３２４は完全に爪車３１１に進入でき、確実な係合が形成される。
【００１０】
ロ、  本考案の揺動具３２を中空状に設け、揺動具３２が輪状体を形成されているため、揺動具３２全体の構造強度は大幅に向上されることにより、揺動具３２は瞬間的な衝撃力量によって破壊されない、使用者の安全が一層に確保される。
【図面の簡単な説明】
【００１１】
【図１】本考案の側視図である。
【図２】本考案の局所分解立体図（その１）である。
【図３】本考案の局所分解立体図（その２）である。
【図４】本考案の局所分解立体図（その３）である。
【図５】本考案の局所分解立体図（その４）である。
【図６】本考案の動作態様図（その１）である。
【図７】本考案の動作態様図（その２）である。
【考案を実施するための形態】
【実施例】
【００１２】
図１ないし図５を参照する。図から明かのように本考案は主に本体１、巻き取り装置２と、ブレーキ装置３とを備える。
【００１３】
そのうち、本体１は上部ケース１１と下部ケース２より組み合わせられ、上部ケース１１と下部ケース１２との間にブラケット１３を設けられ、ブラケット１３の一端に２つのローラー１３１を並列に枢設されて、本体１の一端に固定具１４を設けられている。
【００１４】
巻き取り装置２に巻き取り輪２１と巻きばね２３を設けられ、巻き取り輪２１に巻き取り部２１１を備え、巻き取り部２１１の両端にそれぞれ軸部２１２を設けられ、軸部２１２はブラケット１３に内設され、巻き取り輪２１に安全ベルト２２を繞設され、安全ベルト２２は２つのローラー１３１の間より本体１をくぐらしており、安全ベルト２２の末端部に止めリング２４を設けられ、巻き取り部２１１一端の表面は軸部２１２の周りに順を追って軸柱２１３、第１引き止め柱２１４と第２引き止め柱２１５を間隔置きに設けられ、巻きばね２３は巻き取り輪２１が軸柱２１３遠端の他端の軸部２１２に接続されている。
【００１５】
前記ブレーキ装置３に中空状の制動部３１と中空状の揺動具３２と弾性素子３３を設けられ、制動部３１は前記ブラケット１３と軸部２１２との間に固設され、制動部３１の内縁に爪車３１１を設けられ、揺動具３２を制動部３１に内設され、かつ軸柱２１３、第１引き止め柱２１４と第２引き止め柱２１５は揺動具３２の内部に位置され、揺動具３２の内縁は間隔置きに順を追って枢接部３２１、第１阻止部３２２と第２阻止部３２３を設けられ、外側に係止部３２４を凸設され、枢接部３２１は凹み状を形成され、軸柱２１３を枢接部３２１に内設され、弾性素子３３の一端は巻き取り部２１１が第２引き止め柱２１５の付近場所に接続され、他端は揺動具３２内側の枢接部３２１と第１阻止部３２２との間に接続させ、第１阻止部３２２が第１引き止め柱２１４を引き止め、係止部３２４と爪車３１１との間に距離を形成し、第２阻止部３２２と第２引き止め柱２１５との間に距離を形成する。
【００１６】
図１ないし８を参照する。図１に示すように、使用者は本考案を使用するとき、固定具１４を安定な位置に固定し、留めリング２４を使用者に係着して置く。引き続き図３、４、６に示すように、正常な使用状況において、使用者が移動位置にあるときは、安全ベルト２２を引っ張って、本体１よりゆるやかな速度で引き出す。巻き取り輪２１は追随して回転し、軸柱２１３と第１引き止め柱２１４が揺動具３２の枢接部３２１と第１阻止部３２２を押し込み、揺動具３２を巻き取り輪２１に追随して回転させる。揺動具３２が制動部３１内部で回転するときの遠心力により、揺動具３２に揺動力が発生される。弾性素子３３の一端は巻き取り部２１１が第２引き止め柱２１５の付近場所に接続されており、他端は揺動具３２内側の枢接部３２１と第１阻止部３２２との間に接続されている。よって、巻き取り輪２１はゆるやかな速度で回転されているとき、揺動具３２の揺動力には弾性素子３３を弾性変形させることができないため、第１阻止部３２２より第１引き止め柱２１４を引き止め、係止部３２４と爪車３１１との間に間隔が形成され、安全ベルト２２を本体１より順調に引き出すことができる。
【００１７】
上記安全ベルト２２を本体１より引き出すとき、巻き取り輪２１は巻きばね２３を駆動し弾性湾曲され、復帰能力が発生される。よって、使用者と本体１との間の距離が短縮されたときは、巻きばね２３の復帰能力により巻き取り輪２１を逆方向に巻き取り、安全ベルト２２は本体１に巻き取られる。さらに、使用者の不注意により、高速に墜落することにより、安全ベルト２２を本体１より引き出される瞬間の速度が一定値に達したとき、図３、４および図７に示すように、揺動具３２が制動部３１の内部において高速回転するとき、揺動具３２の発生する揺動力が弾性素子３３の弾性変形力より大きいため、揺動具３２は爪車３１１に揺動される。一方、揺動具３２の係止部３２４が爪車３１１に進入された後、巻き取り輪２１の回転力量は揺動具３２を介して爪車３１１を係止し、係止部３２４が爪車３１１に係止されているとき、巻き取り輪２１はなお旋転自在の状態にあり、その後第２引き止め柱２１５が近づき、かつ第２阻止部３２３を係止した後、第２引き止め柱２１５により、巻き取り輪２１の回転力量を第２阻止部３２３に駆動させ、揺動具３２の係止部３２４は爪車３１１に係止し、巻き取り輪２１の作動を停止させ、安全ベルト２２は引き続き本体１より引き出すことができない。使用者の墜落は確実に停止される。
【符号の説明】
【００１８】
１      本体
１１    上部ケース
１２    下部ケース
１３    ブラケット
１３１  ローラー
１４    固定具
２      巻き取り装置
２１    巻き取り輪
２１１  巻き取り部
２１２  軸部
２１３  軸柱
２１４  第１引き止め柱
２１５  第２引き止め柱
２２    安全ベルト
２３    巻きばね
２４    留めリング
３      ブレーキ装置
３１    制動部
３１１  爪車
３２    揺動具
３２１  枢接部
３２２  第１阻止部
３２３  第２阻止部
３２４  係止部
３３    弾性素子
【図１】
0003166530.tif 000003
【図２】
0003166530.tif 000004
【図３】
0003166530.tif 000005
【図４】
0003166530.tif 000006
【図５】
0003166530.tif 000007
【図６】
0003166530.tif 000008
【図７】
0003166530.tif 000009